(57)【要約】      （修正有）【課題】手袋上に爪型カッター片を設けることで、摘み取り作業がしやすくなり、構造が簡単で、安全性が高く、かつ生産コストが低いカッター付き手袋を提供する。【解決手段】カッター付き手袋は、手袋本体６を有し、手袋本体の親指端部に連結カバー１を設け、連結カバー上に爪型カッター片２を固定する。【選択図】図１
0003228624.tif 000002
【実用新案登録請求の範囲】
【請求項１】
手袋本体を有するカッター付き手袋において、
前記手袋本体の親指端部には連結カバーを設け、連結カバー上には爪型カッター片で固定することを特徴とするカッター付き手袋。
【請求項２】
前記連結カバーは接着剤で手袋本体上に接着することを特徴とする請求項１記載のカッター付き手袋。
【請求項３】
前記連結カバーは手袋本体の親指上でディッピング成形することを特徴とする請求項１記載のカッター付き手袋。
【請求項４】
前記爪型カッター片の刃の形は円弧形であることを特徴とする請求項１記載のカッター付き手袋。
【請求項５】
前記爪型カッター片の刃面はノコギリ型であることを特徴とする請求項１記載のカッター付き手袋。
【請求項６】
前記手袋本体の人差し指には保護カバーを設けることを特徴とする請求項１記載のカッター付き手袋。
【請求項７】
前記保護カバーは接着剤で手袋本体上に接着することを特徴とする請求項６記載のカッター付き手袋。
【請求項８】
前記保護カバーは手袋本体の人差し指上でディッピング成形することを特徴とする請求項６記載のカッター付き手袋。
【請求項９】
前記連結カバーには複数個の通気孔を穿設することを特徴とする請求項１記載のカッター付き手袋。
【請求項１０】
前記手袋本体の手のひら部と／または手の甲部には保護層を設けることを特徴とする請求項１記載のカッター付き手袋。
【請求項１１】
前記手袋本体の人差し指は切断防止材を設置することを特徴とする請求項１記載のカッター付き手袋。
【考案の詳細な説明】
【技術分野】
【０００１】
本考案は、手袋に関するもので、特にカッター付き手袋に係る。
【背景技術】
【０００２】
果樹は多種が丘陵や山間部に植えられているため、機械による自動収穫は実施が困難であり、現在のところ、手摘みによって行われている。果樹に依っては、背が高いため、収穫作業者がはしごを木に立てかけて作業する。収穫時、片手は剪定道具（例として：小刀）を使うのに必要で、それは高所作業という危険環境に身を置く手摘み作業員にとって、大きな不便と安全を脅かしている。
【考案の概要】
【考案が解決しようとする課題】
【０００３】
果樹の摘み取りの便利性と安全性を向上させるカッター付き手袋を本考案の課題とする。
【課題を解決するための手段】
【０００４】
上述の目的を達成するため、本考案は以下のとおり行う。
【０００５】
カッター付き手袋は、手袋本体を有し、前記手袋本体の親指端部には連結カバーを設け、連結カバー上には爪型カッター片で固定する。
【０００６】
更に、前記連結カバーは接着剤で手袋本体上に接着する。
【０００７】
更に、前記連結カバーは手袋本体の親指上でディッピング成形する。
【０００８】
更に、前記爪型カッター片の刃の形は円弧形である。
【０００９】
更に、前記爪型カッター片の刃面はノコギリ型である。
【００１０】
更に、前記手袋本体の人差し指には保護カバーを設ける。
【００１１】
更に、前記保護カバーは接着剤で手袋本体上に接着する。
【００１２】
更に、前記保護カバーは手袋本体の人差し指上でディッピング成形する。
【００１３】
更に、前記連結カバーには複数個の通気孔を穿設する。
【００１４】
更に、前記手袋本体の手のひら部と／または手の甲部には保護層を設ける。
【００１５】
更に、前記手袋本体の人差し指は切断防止材を設置する。
【考案の効果】
【００１６】
本考案のカッター付き手袋は、手袋上に爪型カッター片を設けることで、摘み取り作業員が作業しやすくなり、構造が簡単で、安全性が高く、かつ生産コストが低いという利点がある。
【図面の簡単な説明】
【００１７】
【図１】本考案の実施例１の構造指示図である。
【図２】図１の主要画像指示図である。
【図３】図２のＡ−Ａ断面指示図である。
【図４】実施例２の連結カバーの構造指示図である。
【図５】本考案実施例３の構造指示図である。
【考案を実施するための形態】
【００１８】
以下、実施例と共に、本考案を詳細に説明する。
（一実施形態１）
【００１９】
本実施例はカッター付き手袋を提供する。図１と図２に示すとおり、手袋本体６を有し、前記手袋本体６の親指端部にはゴム材の連結カバー１を設け、連結カバー１上には爪型カッター片２を固定する。摘み取り時、人差し指と親指で摘み取り動作を完成するが，親指上の爪型カッター片２が人差し指を傷つけるのを防止するため、本実施例では人差し指上にゴム材の保護カバー３を設ける。人差し指上の保護カバーはゴム材であるため、切断を防止する他に、耐摩耗効果を有する。
【００２０】
保護カバー３と連結カバー１は直接相互に対応する親指上に嵌め、接着剤で接着させ、相互に対応する親指上に固定する。生産しやすくするため、本実施例の保護カバー３と連結カバー１はディッピング工芸で形成し、保護カバー３と連結カバー１を手袋本体６と一体成型する。ディッピング後，薬液が乾く前に、爪型カッター片２を差し込み、爪型カッター片２を連結カバー１上に固定する。
【００２１】
本実施例の爪型カッター片２の刃の形は円弧形である。
【００２２】
図３に示すとおり、果樹に依っては枝葉に棘があるため、棘で怪我するのを防止するため、本実施例では手袋本体６の手の甲部と／または手のひら部に保護層５を設ける。前記保護層５はディッピング方式を採用し、薬液を手袋本体６上に付着させる。
（一実施形態２）
【００２３】
摘み取り作業は肉体労働であるため、手部の熱量は上がりやすいため、放熱しやすくするため、本実施例は連結カバー１上に複数個の通気孔４を穿設する。
（一実施形態３）
【００２４】
果実を摘み取りする時、爪型カッター片２で果実と果樹間を繋ぐ枝葉を切断するが、枝葉が硬すぎる場合、円弧形の刃面では切断できないため、果実の摘み取りの障害となる。図４に示すとおり、この問題を改善するため、本実施例の爪型カッター片２の刃面はノコギリ型であり、硬度が高い枝葉を切断する時、ノコギリ動作で枝葉を切断する。
（一実施形態４）
【００２５】
実施例１では人差し指が切断されるのを防止するため、人差し指上に保護カバー３を増設し、保護作用を高めた。本実施例の異なる点として、本実施例では保護カバー３の設置をやめて、手袋本体６の人差し指に直接切断防止材（切断防止材はＨＰＰＥまたはＫＥＶＬＡＲ（登録商標）を採用する）を設置することで、手袋は更に美観を高める。
【００２６】
上述の実施例は本考案の内容を説明するためだけのものであり、本考案の請求範囲を制限するものではない。依って、本考案の精神に基づく修飾や変更はすべて本考案の請求範囲に属すものとする。
【符号の説明】
【００２７】
１        連結カバー
２        爪型カッター片
３        保護カバー
４        通気孔
５        保護層
６        手袋本体
【図１】
0003228624.tif 000003
【図２】
0003228624.tif 000004
【図３】
0003228624.tif 000005
【図４】
0003228624.tif 000006
【図５】
0003228624.tif 000007
【手続補正書】
【提出日】令和2年7月28日(2020.7.28)
【手続補正１】
【補正対象書類名】実用新案登録請求の範囲
【補正対象項目名】全文
【補正方法】変更
【補正の内容】
【実用新案登録請求の範囲】
【請求項１】
手袋本体を有するカッター付き手袋において、
前記手袋本体の親指端部には連結カバーを設け、連結カバー上には爪型カッター片を固定することを特徴とするカッター付き手袋。
【請求項２】
前記連結カバーは接着剤で手袋本体上に接着することを特徴とする請求項１記載のカッター付き手袋。
【請求項３】
前記連結カバーは手袋本体の親指上でディッピング成形することを特徴とする請求項１記載のカッター付き手袋。
【請求項４】
前記爪型カッター片の刃の形は円弧形であることを特徴とする請求項１記載のカッター付き手袋。
【請求項５】
前記爪型カッター片の刃面はノコギリ型であることを特徴とする請求項１記載のカッター付き手袋。
【請求項６】
前記手袋本体の人差し指には保護カバーを設けることを特徴とする請求項１記載のカッター付き手袋。
【請求項７】
前記保護カバーは接着剤で手袋本体上に接着することを特徴とする請求項６記載のカッター付き手袋。
【請求項８】
前記保護カバーは手袋本体の人差し指上でディッピング成形することを特徴とする請求項６記載のカッター付き手袋。
【請求項９】
前記連結カバーには複数個の通気孔を穿設することを特徴とする請求項１記載のカッター付き手袋。
【請求項１０】
前記手袋本体の手のひら部と／または手の甲部には保護層を設けることを特徴とする請求項１記載のカッター付き手袋。
【請求項１１】
前記手袋本体の人差し指は切断防止材を設置することを特徴とする請求項１記載のカッター付き手袋。
【手続補正２】
【補正対象書類名】明細書
【補正対象項目名】０００５
【補正方法】変更
【補正の内容】
【０００５】
カッター付き手袋は、手袋本体を有し、前記手袋本体の親指端部には連結カバーを設け、連結カバー上には爪型カッター片を固定する。